(57)【要約】【課題】作業性を良好に維持しながら、浴室に大きな照明ユニットを設置し得る浴室の天井構造を提供する。【解決手段】浴室の天井面が矩形状の照明ユニット２と天井パネル１３とで構成される。照明ユニットは、その３辺に浴室の壁パネル３に取り付ける第１取付部４を有し、残り１辺に天井パネルと接続する第１接続部８１を有する。天井パネルに、点検口と、壁パネル３に取り付ける第２取付部１６と、照明ユニットと接続する第２接続部８３とを設ける。第１接続部に、ねじ部側にテーパー面が形成された頭部を有する固定ねじ８５をねじ込んで固定する。第２接続部に、固定ねじの頭部よりも径が大きいバカ孔を設ける。固定ねじの頭部をバカ孔に挿入して第１接続部と第２接続部とを接触させる。この状態で、嵌め込み溝９３を有する接続金具９０を、固定ねじの頭部と第２接続部との間に差し込みかつスライドさせて嵌め込み溝に固定ねじを嵌め込む。【選択図】図１４
2016079712.tif 000002
【特許請求の範囲】
【請求項１】
浴室の天井面が矩形状の照明ユニットと天井パネルとで構成された浴室の天井構造であって、
前記照明ユニットは、その３辺にそれぞれ浴室の壁パネルの上端に取り付ける第１取付部を有し、残り１辺に前記天井パネルと接続するための第１接続部を有しており、
前記天井パネルには、点検口と、前記第１取付部とは別の箇所で前記壁パネルの上端に取り付ける第２取付部と、前記照明ユニットと接続するための第２接続部とが設けられており
前記第１接続部には、ねじ部側にテーパー面が形成された頭部を有する固定ねじがねじ込んで固定されている一方、前記第２接続部には、前記固定ねじの頭部よりも径が大きいバカ孔が設けられており、前記固定ねじの頭部を前記バカ孔に挿入して前記第１接続部と前記第２接続部とを接触させ、この状態で、嵌め込み溝を有する接続金具を、前記固定ねじの頭部と前記第２接続部との間に差し込みかつスライドさせて前記嵌め込み溝に前記固定ねじを嵌め込ませることにより、前記第１接続部と前記第２接続部とを接続するように構成されていることを特徴とする浴室の天井構造。
【請求項２】
前記固定ねじ及び前記バカ孔は、それぞれ前記第１接続部及び前記第２接続部の少なくとも２箇所に設けられており、前記接続金具の長手方向の長さは、前記２箇所の間の距離よりも大きく設定され、この接続金具の長手方向の両端部にそれぞれ前記嵌め込み溝が設けられている請求項１記載の浴室の天井構造。
【請求項３】
前記接続金具は、前記第２接続部に接触する垂直片と、この垂直片の上端から直角に折り曲げられた折り曲げ片とを備えており、前記垂直片の長手方向の両端部にはそれぞれ前記嵌め込み溝が設けられ、前記折り曲げ片の長手方向の両端部にはそれぞれ取り外し用の孔が設けられている請求項２記載の浴室の天井構造。
【請求項４】
前記照明ユニットは、浴室に面して設けられる平板状の透明又は半透明な下カバーと、この下カバーを保持する矩形枠状のフレームと、前記下カバーと所定の間隔を空けて配置された面状発光体と、この面状発光体の上側に配置された上カバーとを備え、前記下カバー、前記面状発光体及び前記上カバーは、前記フレームを介して一体的に組み付けられている請求項１ないし請求項３のいずれか一つに記載の浴室の天井構造。
【請求項５】
前記照明ユニットの前記下カバーの下面は、前記天井パネルの下面と面一に設定されている請求項４記載の浴室の天井構造。
【発明の詳細な説明】
【技術分野】
【０００１】
本発明は、浴室の天井構造に関する。
【背景技術】
【０００２】
浴室の天井構造として、特許文献１に記載されているように、浴室の天井面が矩形状の照明ユニットと天井パネルとで構成され、前記天井パネルが、換気口を設けた矩形状の換気パネルと、点検口を設けた矩形状の点検口パネルとに分割されたものは知られている。この場合、前記照明ユニットは、その３辺が浴室の壁パネルの上端に支持されるとともに、残り１辺に天井パネルと接続するための接続部を有している。前記接続部での接続は、通常、ねじ止めにより行われている。
【先行技術文献】
【特許文献】
【０００３】
【特許文献１】特開平１１−６３１５号公報
【発明の概要】
【発明が解決しようとする課題】
【０００４】
ところが、前記従来のものでは、照明ユニットの接続部で天井パネルと隙間なく接続しようとしても、天井パネルの点検口から手が届く範囲しかねじ止めで接続することができないので、浴室に大きな照明ユニットを設置することが困難であった。特に、特許文献１の場合、点検口パネルが照明ユニットに直接接続されず、換気パネルを介在して接続されるように配置されているため、点検口パネルの点検口から手が届く範囲が限られることになる。
【０００５】
本発明はかかる点に鑑みてなされたものであり、その課題は、照明ユニットと天井パネルとの接続部のうち、天井パネルの点検口から手が届き難い箇所での接続手段として、ねじ止めに代わるものを用いる。これにより、作業性を良好に維持しながら、浴室に大きな照明ユニットを設置し得る浴室の天井構造を提供することにある。
【課題を解決するための手段】
【０００６】
前記の課題を解決するため、本発明は、浴室の天井面が矩形状の照明ユニットと天井パネルとで構成された浴室の天井構造において、前記照明ユニットは、その３辺にそれぞれ浴室の壁パネルの上端に取り付ける第１取付部を有し、残り１辺に前記天井パネルと接続するための第１接続部を有しており、前記天井パネルには、点検口と、前記第１取付部とは別の箇所で前記壁パネルの上端に取り付ける第２取付部と、前記照明ユニットと接続するための第２接続部とが設けられている。そして、前記第１接続部には、ねじ部側にテーパー面が形成された頭部を有する固定ねじがねじ込んで固定されている一方、前記第２接続部には、前記固定ねじの頭部よりも径が大きいバカ孔が設けられており、前記固定ねじの頭部を前記バカ孔に挿入して前記第１接続部と前記第２接続部とを接触させ、この状態で、嵌め込み溝を有する接続金具を、前記固定ねじの頭部と前記第２接続部との間に差し込みかつスライドさせて前記嵌め込み溝に前記固定ねじを嵌め込ませることにより、前記第１接続部と前記第２接続部とを接続するように構成する。
【０００７】
ここで、前記固定ねじ及び前記バカ孔は、それぞれ前記第１接続部及び前記第２接続部の少なくとも２箇所に設けられており、前記接続金具の長手方向の長さは、前記２箇所の間の距離よりも大きく設定され、この接続金具の長手方向の両端部にそれぞれ前記嵌め込み溝が設けられていることが好ましい。
【０００８】
また、前記接続金具は、前記第２接続部に接触する垂直片と、この垂直片の上端から直角に折り曲げられた折り曲げ片とを備えており、前記垂直片の長手方向の両端部にはそれぞれ前記嵌め込み溝が設けられ、前記折り曲げ片の長手方向の両端部にはそれぞれ取り外し用の孔が設けられていることが好ましい。
【０００９】
前記照明ユニットは、浴室に面して設けられる平板状の透明又は半透明な下カバーと、この下カバーを保持する矩形枠状のフレームと、前記下カバーと所定の間隔を空けて配置された面状発光体と、この面状発光体の上側に配置された上カバーとを備え、前記下カバー、前記面状発光体及び前記上カバーは、前記フレームを介して一体的に組み付けられていることが好ましい。
【００１０】
さらに、前記照明ユニットの前記下カバーの下面は、前記天井パネルの下面と面一に設定されていることが好ましい。
【発明の効果】
【００１１】
本発明の浴室の天井構造によれば、照明ユニットの第１接続部と天井パネルの第２接続部との接続は、第１接続部に固定した固定ねじの頭部を、第２接続部に設けたバカ孔に挿入した状態で、接続金具を固定ねじの頭部と第２接続部との間に差し込んで行われる。このため、天井パネルの点検口から手が届き難い箇所でも接続作業を容易に行うことができ、作業性を高めることができる上、浴室に大きな照明ユニットを設置することができるという効果をも奏する。
【図面の簡単な説明】
【００１２】
【図１】図１は本発明の実施形態に係る浴室の天井構造を天井裏から示す分解斜視図である。
【図２】図２は前記浴室の照明ユニットを取り外して見た一部切開斜視図である。
【図３】図３は図２のＸ−Ｘ線における拡大断面図である。
【図４】図４は図３のＹ付近の拡大図である。
【図５】図５は前記照明ユニットの一構成部材であるフレームの斜視図である。
【図６】図６は図５のＺ付近の拡大図である。
【図７】図７は図６のＤ−Ｄ線における拡大断面図である。
【図８】図８は前記照明ユニットの一構成部材である面状発光体の光源部を示す斜視図である。
【図９】図９は前記光源部の正面図である。
【図１０】図１０は前記光源部の右側面図である。
【図１１】図１１は図１の照明ユニットを取り付けた状態で当該照明ユニットと点検口パネルとの接続部の壁パネル側端部付近を示す斜視図である。
【図１２】図１２は図１１のＥ−Ｅ線における拡大断面図である。
【図１３】図１３は図１１のＦ−Ｆ線における拡大断面図である。
【図１４】図１４は図１の照明ユニットを取り付けた状態で当該照明ユニットと換気パネルとの接続部の壁パネル側端部付近を示す斜視図である。
【図１５】図１５は図１４のＧ−Ｇ線における拡大断面図である。
【図１６】図１６Ａはテーパーねじの正面図、図１６Ｂはテーパーねじの頭部側から見た側面図である。
【図１７】図１７Ａは接続金具の正面図、図１７Ｂは同平面図、図１７Ｃは同左側面図である。
【図１８】図１８は図１７ＡのＨ付近の拡大図である。
【図１９】図１９Ａは図１５のＦ−Ｆ線に沿ってテッパーねじ付近を見た矢視図であり、図１９Ｂは図１９Ａに示す状態からテーパーねじ及び接続金具を取り外して換気パネルの第２接続部のバカ孔付近を見た図である。
【発明を実施するための形態】
【００１３】
以下、本発明を実施するための形態である実施形態を図面に基づいて説明する。
【００１４】
図１は本発明の一実施形態に係る浴室の天井構造の全体構成を示す。図１において、１は浴室であって、浴室１の天井面１１は、矩形状の照明ユニット２と、天井パネル１０とで構成されている。天井パネル１０は、換気装置（図示せず）を取り付けるための開口部１２を設けた矩形状の換気パネル１３と、点検口１４を設けた矩形状の点検口パネル１５とに分割されている。
【００１５】
照明ユニット２は、天井面１１の面積のおよそ１／３を占めており、浴室１の内部全体を隈無く照らすようになっている。照明ユニット２は、その３辺、詳しくは１つの長辺と２つの短辺にそれぞれ浴室１の壁パネル３の上端に取り付ける第１取付部４を有している。照明ユニット２の幅寸法（換気パネル１３と隣接する辺に直交する方向の長さ寸法）は、４０〜１００ｃｍの範囲内に設定されている。
【００１６】
換気パネル１３及び点検口パネル１５は、照明ユニット２に対し、いずれも１辺で隣接しかつ互いに別の１辺で隣接し合う並列状態で配置されている。また、換気パネル１３及び点検口パネル１５は、いずれも互いに直交する残りの２辺でかつ第１取付部４とは別の箇所で各々壁パネル３の上端に取り付ける第２取付部１６又は１７を有している。
【００１７】
ここで、照明ユニット２は、通常、浴室１の床パネル（図示せず）の浴槽側と洗い場側とに跨がって対向する位置に取り付けられる。また、換気パネル１３は、浴室１の床パネルの浴槽側に対向する位置に、点検口パネル１５は、浴室１の床パネルの洗い場側に対向する位置にそれぞれ取り付けられる。しかし、これに限らず、照明ユニット２を、浴室１の床パネルの浴槽側に対向する位置に、換気パネル１３及び点検口パネル１５を、浴室１の床パネルの洗い場側に対向する位置にそれぞれ取り付けても良い。
【００１８】
照明ユニット２は、図２ないし図４に示すように、浴室１に面して設けられる平板状の下カバー２１と、下カバー２１を保持する矩形枠状のフレーム２２と、下カバー２１と所定の間隔を設けて配置された面状発光体２３と、上カバー２４とを備える。上カバー２４は、面状発光体２３の上側に配置されており、下カバー２１、面状発光体２３及び上カバー２４は、フレーム２２を介して一体的に組み付けられている。
【００１９】
フレーム２２は、照明ユニット２の強度部材としての機能を有しかつ照明ユニット２を浴室１の壁パネル３の上端に取り付けるための複合部材であって、図５ないし図７にも示すように、外フレーム２６と、内フレーム２７と、押さえ部材２８とを備えている。
【００２０】
外フレーム２６は、フレーム２２の主体を構成する部材であって、一対の長辺フレーム３１，３２と、一対の短辺フレーム３３，３３とを有する矩形枠状に形成されている。一対の長辺フレーム３１，３２のうち、浴室１の壁パネル３側の長辺フレーム３１及び一対の短辺フレーム３３，３３にはそれぞれ第１取付部４が設けられている。第１取付部４は、図１１及び図１２に示すように、外フレーム２６の下カバー２１を支持する支持部３４よりも下方に延出する延出部３５と、この延出部３５に設けられた水平方向に長い長孔３６とを有している。そして、延出部３５を浴室１の壁パネル３の外側に位置させて外フレーム２６を浴室１の壁パネル３の上端に載置し、この状態で浴室１の内側から壁パネル３に設けた孔から固定ねじ（図示せず）を延出部３５の長孔３６にねじ込むことで取り付けられる。
【００２１】
内フレーム２７は、外フレーム２６と同じく矩形枠状に形成されているとともに、外フレーム２６の内側に嵌め込んで組み付けられている。内フレーム２７は、外フレーム２６の支持部３４との間に下カバー２１を保持する機能と、下カバー２１と面状発光体２３（詳しくは後述する導光板４６）との間に所定の間隔を設けるためのスペーサとしての機能とを有している。
【００２２】
押さえ部材２８は、外フレーム２６の矩形枠４辺のうちの、浴室１の壁パネル３側の長辺フレーム３１と一対の短辺フレーム３３，３３とに対応して、１つの長辺部２８ａと一対の短辺部２８ｂ，２８ｂとを有している。押さえ部材２８は、その長辺部２８ａ及び各短辺部２８ｂでそれぞれ上カバー２４及び面状発光体２３（詳しくは後述する導光板４６）の縁部を上側から押さえた状態で外フレーム２６の上端部に固定ねじ３７により固定されている（図３、図１１及び図１２参照）。
【００２３】
また、外フレーム２６の、浴室１の壁パネル３と反対側の長辺フレーム３２は、図４及び図７に示すように、内フレーム２７の組み付け位置よりも幅方向の外側に、縦面部３８と、スライド支持部３９とを備えている。
【００２４】
縦面部３８は、支持部３４の幅方向の外側に延出した部分３４ａの外端から上方に向かって延びている。縦面部３８の上縁部には、図６及び図７に示すように、外側に向かって突出する複数の連結ピン４０，４０，…が長手方向に沿って所定間隔毎に設けられている。各連結ピン４０は、例えば、円筒状のスペーサ４３に挿入されたねじ４４を縦面部３８にねじ込むことで設けられている。また、連結ピン４０は、２つで１組を構成するようになっている。例えば図６に示すように、長辺フレーム３２の長手方向の一方の端部に設けた連結ピン４０が第１ピン４１を構成し、この第１ピン４１から、長辺フレーム３２の長手方向に沿って所定距離離れた位置に設けた連結ピン４０が第２ピン４２を構成する。第１ピン４１と第２ピン４２との組は、複数組（図５では３組）設けられている。
【００２５】
スライド支持部３９は、図６及び図７に示すように、縦面部３８の上端から内側に向かって突出している。スライド支持部３９の上面は、水平面となっており、長辺フレーム３２の上面の一部を構成する。
【００２６】
面状発光体２３は、図２ないし図４に示すように、フレーム２２に保持された導光板４６と、フレーム２２の長辺フレーム３２に沿って一列に配置されかつ取り外し可能に設けられた複数（図では３つ）の光源部４７，４７，…とを有している。尚、各光源部４７は、いずれも同じ構成であるため、以下では、点検口１４から離れた最も離れた位置に取り付けられる光源部４７を主に説明する。
【００２７】
導光板４６は、アクリル樹脂やガラス等の透明な矩形状の平板によって構成され、各光源部４７から発射された光を端面から取り込み、下面から出射することで下面全体が発光するようになっている。導光板４６の上面は、例えばドット状のパターンが印刷されて、端面から導光板４６の内部に入射した光を拡散し、導光板４６の下面に向かって反射するようになっている。
【００２８】
光源部４７は、図８及び図９に示すように、一方向に延びる長尺部材からなる。光源部４７の長手方向は、フレーム２２の長辺フレーム３２の長手方向と並行である。光源部４７の長手方向両側の端部のうち、点検口１４から離れている側の端部を第１端部４８とし、反対側の端部を第２端部４９とする。
【００２９】
光源部４７は、図１０に示すように、基台部５２と、光源部本体としての発光部５７と、覆い部６０とを備えている。基台部５２は、発光部５７を支持する受片５３と、受片５３の上端から外側に向かって突出したスライド片５４と、スライド片５４の先端から下方に垂下した縦片５５と、受片５３の上端から内側に向かって突出した連結片５６とを備えている。
【００３０】
受片５３は、発光部５７に外側から当接して発光部５７を支持する。スライド片５４は、図４に示すように、フレーム２２の長辺フレーム３２のスライド支持部３９上に載置された状態で、長辺フレーム３２の長手方向に平行な方向にスライド移動可能に設けられている。縦片５５は、スライド片５４の先端から下方に垂下していることで、スライド支持部３９上におけるスライド片５４のスライド移動をガイドするようになっている。連結片５６は、その上面がスライド片５４の上面と面一に形成され、かつ覆い部６０の上端を支持するようになっている。
【００３１】
発光部５７は、図１０に示すように、基板５８と、この基板５８上に実装された複数のＬＥＤ等の発光素子５９とを備えている。発光素子５９は、図１０では１つしか示していないが、光源部４７の長手方向に沿って所定間隔毎に複数配置されている。発光部５７は、発光素子５９を内側つまり導光板４６側に向けた状態で基台部５２に取り付けられ、覆い部６０によって覆われている。
【００３２】
覆い部６０は、発光部５７を側方から覆い、当該発光部５７を保護する。覆い部６０は、下端が基台部５２の受片５３に連結され、上端が基台部５２の連結片５６に連結されて基台部５２に組み付けられている。また、覆い部６０は、発光素子５９の上下両側に設けられた一対の突条６１，６１と、一対の突条６１，６１間に設けられた透過部６２とを備えている。
【００３３】
各突条６１は、覆い部６０から基板５８に向かって突出しており、その先端は、基板５８に接触又は近接対向している。透過部６２は、透明な合成樹脂によって構成されている。尚、覆い部６０の、透過部６２以外の部位は、光反射性のある樹脂材（例えば、白色の樹脂材）によって構成されている。すなわち、覆い部６０は、２色成形品である。
【００３４】
また、覆い部６０には、内側つまり導光板４６側に突出する押さえ突部６３が設けられている。この押さえ突部６３は、光源部４７が長辺フレーム３２に取り付けられたとき、図４に示すように、上カバー２４及び面状発光体２３の導光板４６を上側から押さえるように構成されている。押さえ突部６３も白色の樹脂材によって構成されている。
【００３５】
ここで、発光部５７（詳しくは発光素子５９）が発光すると、その大部分の光は、透過部６２を通過して導光板４６に入射し、一部の光は、透過部６２とその他の部位との境界面及び突条６１に反射して導光板４６に入射する。よって、覆い部６０は、光ロスを抑制する機能を有する。
【００３６】
光源部４７の第１端部４８及び第２端部４９には、図８及び図９に示すように、それぞれ第１切欠き部６４と、第２切欠き部６５とが設けられている。第１切欠き部６４は、光源部４７の長手方向に開口しており、この第１切欠き部６４の開口上縁には、開口側に向かって斜め上方に傾斜する傾斜部６６が形成されている。第２切欠き部６５は、下方に開口している。第１端部４８の第１切欠き部６４底部と第２端部４９の第２切欠き部６５の間の距離及び第１端部４８の第２切欠き部６５と第２端部４９の第１切欠き部６４底部の間の距離は、長辺フレーム３２の第１ピン４１と第２ピン４２の間の距離と同一に設定されている。そして、光源部４７を長辺フレーム３２の長手方向に沿って取り付けるときには、先ず、例えば光源部４７の第１端部４８の第１切欠き部６４を長辺フレーム３２の第１ピン４１に嵌め込む。その後、光源部４７の第２端部４９の第２切欠き部６５を長辺フレーム３２の第２ピン４２に嵌め込む。これにより、光源部４７が長辺フレーム３２に取り外し可能に取り付けられる。
【００３７】
下カバー２１は、透明又は半透明な合成樹脂によって構成されている。上カバー２４は、遮光性や光反射性を有する合成樹脂又は金属などによって構成されている。また、上カバー２４は、面状発光体２３の導光板４６の上面に接触して取り付けられており、これにより、光漏れを防ぐと共に光ロスを防いで効率を向上させることができる上、導光板４６を保護することができるようになっている。
【００３８】
一方、換気パネル１３及び点検口パネル１５は、換気パネル１３の場合図１５に示し、点検口パネル１５の場合図１３に示すように、いずれも下面側から化粧鋼板７１と、木質合板７２と、発泡スチロール等の断熱材７３とを重合して構成されている。
【００３９】
換気パネル１３は、矩形平板状に形成されており、この換気パネル１３の中央部よりも照明ユニット２寄りの位置に矩形状の開口部１２が設けられている。図示していないが、この開口部１２を通して換気装置が浴室１の内部に面した状態で換気パネル１３に取り付けられる。換気パネル１３の４辺のうちの、互いに直交する２辺は、それぞれ第２取付部１６により浴室１の壁パネル３の上端に取り付けられている。この第２取付部１６は、図に詳示していないが、第１取付部４と同様な構成になっている。
【００４０】
点検口パネル１５は、矩形平板状に形成されており、この点検口パネル１５の中央部よりも照明ユニット２寄りの位置に円形状の点検口１４が設けられている。この点検口１４には、図示していないが、点検蓋が浴室１の内側から取り外し可能に装着される。点検口パネル１５の４辺のうちの、互いに直交する２辺は、それぞれ第２取付部１７により浴室１の壁パネル３の上端に取り付けられている。この第２取付部１７は、図に詳示していないが、第１取付部４と同様な構成になっている。
【００４１】
換気パネル１３と点検口パネル１５とは、バックアップ材（図示せず）を介在して１辺同士を接合した状態でかつ両パネル１３，１５の下面同士が面一となるように取り付けられている。
【００４２】
照明ユニット２の長辺フレーム３２には、図５に示すように、換気パネル１３及び点検口パネル１５と接続するための第１接続部８１が設けられている。第１接続部８１は、長辺フレーム３２の縦面部３８に長辺フレーム３２の長手方向に沿って所定間隔毎に設けられた複数のねじ孔８２，８２，…を有している。一方、換気パネル１３及び点検口パネル１５の、照明ユニット２の長辺フレーム３２に対向する１辺には、それぞれ図１５及び図１３に示すように、照明ユニット２と接続するための第２接続部８３が設けられている。第２接続部８３は、換気パネル１３又は点検口パネル１５の化粧鋼板７１の縁部を垂直上方に折り曲げることで形成されている。
【００４３】
第１接続部８１と第２接続部８３とは、互いに接続されている。その接続構造は、第１接続部８１の複数のねじ孔８２，８２，…のうち、点検口パネル１５の点検口１４から離れた２つのねじ孔８２，８２に対応した２箇所と、それ以外のねじ孔８２に対応した複数箇所とで異なっている。
【００４４】
即ち、点検口パネル１５の点検口１４に近い前記複数箇所では、図１１及び図１３に示すように、第１接続部８１と第２接続部８３とを接触させた状態で、それぞれ第２接続部８３に設けた挿入孔から通常の固定ねじ８４を第１接続部８１のねじ孔８２にねじ込む。これにより、第１接続部８１と第２接続部８３とを接続するように構成されている。
【００４５】
一方、点検口パネル１５の点検口１４から離れた前記２箇所では、図１４及び図１５に示すように、固定ねじの一種である２つのテーパーねじ８５，８５と１つの接続金具９０とを用いて、第１接続部８１と第２接続部８３とが接続される。
【００４６】
テーパーねじ８５は、図１６に拡大詳示するように、頭部８６と、軸部８７と、ねじ部８８とを有しており、頭部８６の軸部８７側ないしねじ部８８側には、軸部８７から頭部８６側に向かって直径が次第に大きくなるテーパー面８９が形成されている。テーパーねじ８５は、第１接続部８１と第２接続部８３の接続時に予め第１接続部８１の所定のねじ孔８２にねじ込んで固定される。
【００４７】
接続金具９０は、図１７にも示すように、一方向に延びる長尺部材からなり、その長手方向は、第２接続部８３の長手方向ひいてはフレーム２２の長辺フレーム３２の長手方向と並行である。接続金具９０は、第２接続部８３に接触する垂直片９１と、この垂直片９１の上端から第２接続部８３と離れる方向に直角に折り曲げられた折り曲げ片９２とを備えている。垂直片９１の長手方向の長さは、前記２箇所のねじ孔８２，８２間の距離よりも大きく設定されている。折り曲げ片９２は、垂直片９１の長手方向の中央部にのみ形成されており、この折り曲げ片９２の長手方向の長さは、前記２箇所のねじ孔８２，８２間の距離よりも小さく設定されている。
【００４８】
接続金具９０の垂直片９１の長手方向の両端部には、それぞれテーパーねじ８５を嵌め込み可能な嵌め込み溝９３が形成されている。この嵌め込み溝９３は、図１８に拡大詳示するように、垂直片９１の長手方向に延びる溝本体９４と、溝本体９４の長さ方向中間部より垂直片９１の下端より開口する開口部９５とを有している。開口部９５の一対の側壁９６，９６は、それぞれ開口側に向かうに従って相互の間隔が次第に狭くなるように傾斜面状に形成されている。垂直片９１の長手方向両端部の嵌め込み溝９３，９３の開口部９５，９５間の距離は、前記２箇所のねじ孔８２，８２間の距離と同一に設定されている。また、接続金具９０の折り曲げ片９２の両端部にはそれぞれ取り外し用の孔９７が設けられている。
【００４９】
ここで、テーパーねじ８５の頭部８６と嵌め込み溝９３の大小関係は、図１９Ａに示すように、テーパーねじ８６の頭部８６の直径が嵌め込み溝９３（詳しくは溝本体９４）の溝幅よりも大きく設定されている。また、第２接続部８３には、図１９Ｂに示すように、第１接続部８１のねじ孔８２に対応して挿入孔９８が設けられているが、この挿入孔９８は、テーパーねじ８５の頭部８６よりも径が一回り大きいバカ孔である。尚、以下の説明では、挿入孔９８をバカ孔という。
【００５０】
そして、前記２箇所では、第１接続部８１と第２接続部８３との接続時には予め第１接続部８１のねじ孔８２にねじ込んで固定したテーパーねじ８５の頭部８６を第２接続部８３のバカ孔９８に挿入して第１接続部８１と第２接続部８３とを接触させる。この状態で、接続金具９０の各嵌め込み溝９３内にそれぞれテーパーねじ８５の軸部８７を挿入するように接続金具９０をテーパーねじ８５の頭部８６と第２接続部８３との間に差し込みかつ接続金具９０の長手方向にスライドさせる。これにより、第１接続部８１と第２接続部８３とを接続するように構成されている。
【００５１】
第１接続部８１と第２接続部８３とを接続したときには、図１５及び図１３に示すように、照明ユニット２の下カバー２１の下面は、換気パネル１３の下面及び点検口パネル１５の下面と面一になるように設けられている。尚、図１２中、１０１は浴室１の壁パネル３の上縁と照明ユニット２の外フレーム２６の支持部３４との間に装着された廻縁であり、廻縁１０１は、浴室１の壁パネル３の上縁と天井面１１の周縁との全周に亘って装着される。
【００５２】
次に、前記実施形態の作用効果について説明する。浴室１の天井面１１を施工する場合、天井面１１を構成する照明ユニット２の長辺フレーム３２の第１接続部８１と、天井パネル１０である換気パネル１３及び点検口パネル１５の第２接続部８３とは接続される。この接続構造は、第１接続部８１の複数のねじ孔８２，８２，…のうち、点検口パネル１５の点検口１４から離れた２つのねじ孔８２，８２に対応した２箇所では、それ以外の箇所での従来と同様なねじ止めと異なる構造が採られている。
【００５３】
すなわち、前記２箇所では、第１接続部８１と第２接続部８３との接続時には予め第１接続部８１のねじ孔８２にねじ込んで固定したテーパーねじ８５の頭部８６を第２接続部８３のバカ孔９８に挿入して第１接続部８１と第２接続部８３とを接合する。この状態で、接続金具９０の各嵌め込み溝９３内にそれぞれテーパーねじ８５の軸部８７を挿入するように接続金具９０をテーパーねじ８５の頭部８６と第２接続部８３との間に差し込みかつ接続金具９０の長手方向にスライドさせる。これにより、第１接続部８１と第２接続部８３とが接続される。このため、点検口パネル１５の点検口１４から離れ作業者の手の届き難い箇所でも接続作業を容易に行うことができ、作業性を高めることができる。その上、浴室１に大きな照明ユニット２を設置することができるという効果をも奏する。
【００５４】
特に、本実施形態では、接続金具９０の垂直片９１の長手方向の長さは、前記２箇所のねじ孔８２，８２間の距離よりも大きく設定され、この接続金具９０の垂直片９１の両端部にそれぞれ嵌め込み溝９３が設けられている。このため、前記２箇所では１つの接続金具９０を用いて接続作業を行うことができ、その分作業の簡易化及び効率化を図ることができる。また、第１接続部８１と第２接続部８３との接続状態では接続金具９０が２箇所で支持されるため、接続金具９０が安定して接続状態を永く維持することができる。
【００５５】
また、接続金具９０は、第２接続部８３に接触する垂直片９１と、垂直片９１の上端から直角に折り曲げた折り曲げ片９２とを備え、垂直片９１の長手方向両端部に嵌め込み溝９３が、折り曲げ片９２の長手方向両端部に取り外し用の孔９７が各々設けられている。このため、接続金具９０を用いて第１接続部８１と第２接続部８３とを接続するときには、折り曲げ片９２を木槌等で打ち付けて接続金具９０をスライドさせることできるので、作業の簡易化及び効率化を一層図ることができる。また、第１接続部８１と第２接続部８３の接続状態を解除するときには、折り曲げ片９２の取り外し用の孔９７を用いて解除方向に接続金具９０を容易にスライドさせることができるので、解除作業の容易化及び効率化を図ることができる。
【００５６】
さらに、照明ユニット２は、下カバー２１と、下カバー２１を保持する矩形枠状のフレーム２２と、面状発光体２３と、上カバー２４とを備え、下カバー２１、面状発光体２３及び上カバー２４は、フレーム２２を介して一体的に組み付けられている。このため、施工時での照明ユニット２の取付が容易なものになり、作業性を高めることができる。
【００５７】
加えて、照明ユニット２の下カバー２１の下面は、換気パネル１３の下面及び点検口パネル１５の下面と面一に設けられている。このため、照明ユニット２を点灯すると、天井の上には空が広がっているような感覚になり、使用者が自然光を浴びているような開放感を感じることができる。また、浴室１の天井面１１を美麗に仕上げることができ、更に清掃が容易となる。
【００５８】
尚、本発明は前記実施形態に限定されるものではなく、その他種々の形態を包含するものである。例えば前記実施形態では、第１接続部８１の複数のねじ孔８２，８２，…のうち、点検口パネル１５の点検口１４から離れた２つのねじ孔８２，８２に対応した２箇所で、テーパーねじ８５と接続金具９０を用いて接続を行う構成にした。しかし、本発明は、これに限らず、１箇所又は３箇所以上で、テーパーねじ８５と接続金具９０と用いて接続を行う構成にしても良い。その場合、接続金具としては、前記実施形態の如く接続金具９０の垂直片９１の長手方向両端部にそれぞれ嵌め込み溝９３を設けたものに限らず、１つ又は３つ以上の嵌め込み溝を設けたものにしても良い。
【００５９】
また、前記実施形態では、矩形状の照明ユニット２を、下カバー２１と、矩形枠状のフレーム２２と、面状発光体２３と、上カバー２４とで構成したが、場合によっては、下カバー２１及び上カバー２４の少なくとも一方を省略して構成しても良い。また、面状発光体２３を、例えば矩形状の基板上に複数の発光素子を縦方向及び横方向に所定間隔毎に実装してなる構成にしたり，その他従来公知の面状発光体を用いたりしても良い。
【００６０】
さらに、前記実施形態では、浴室１の天井面１１が矩形状の照明ユニット２と天井パネル１０とで構成され、天井パネル１０が、換気装置を取り付けるための換気パネル１３と、点検口１４を設けた点検口パネル１５とに分割されてなる場合について説明した。しかし、本発明は，これ限らず、天井パネル１０が１つのパネルのみからなる場合、あるいは天井パネル１０が３つ又はそれ以上のパネルに分割されてなる場合にも適用することができるのは勿論である。
【符号の説明】
【００６１】
１    浴室
２    照明ユニット
３    壁パネル
４    第１取付部
１０    天井パネル
１１    天井面
１３    換気パネル
１４    点検口
１５    点検口パネル
１６，１７    第２取付部
２１    下カバー
２２    フレーム
２３    面状発光体
２４    上カバー
８１    第１接続部
８３    第２接続部
８５    テーパーねじ（固定ねじ）
８６    頭部
８８    ねじ部
８９    テーパー面
９０    接続金具
９１    垂直片
９２    折り曲げ片
９３    嵌め込み溝
９７    取り外し用の孔
９８    バカ孔（挿入孔）
【図１】
2016079712.tif 000003
【図２】
2016079712.tif 000004
【図３】
2016079712.tif 000005
【図４】
2016079712.tif 000006
【図５】
2016079712.tif 000007
【図６】
2016079712.tif 000008
【図７】
2016079712.tif 000009
【図８】
2016079712.tif 000010
【図９】
2016079712.tif 000011
【図１０】
2016079712.tif 000012
【図１１】
2016079712.tif 000013
【図１２】
2016079712.tif 000014
【図１３】
2016079712.tif 000015
【図１４】
2016079712.tif 000016
【図１５】
2016079712.tif 000017
【図１６】
2016079712.tif 000018
【図１７】
2016079712.tif 000019
【図１８】
2016079712.tif 000020
【図１９】
2016079712.tif 000021